(57)【要約】【課題】従来市販されていたカスタネットの形状では、カスタネット使用時に指に装着する手段としてゴム紐を使用していたため、結び目がほつれ易く、その場合に再び結び直すことが面倒であり、また使用者の指に合わせたサイズ調節および脱着が不便であった。【解決手段】カスタネット使用時に指に装着する部分に、フック面とループ面を合わせて一体化させた面ファスナー部３ａを使用する。さらにこの面ファスナー３ａの一方の先端には固定具４、他方の先端側にはストッパー５が取り付けてあり、ゴム紐２を通す穴６が開けられている。これらの点により、従来のカスタネット使用時における煩雑さの解消、使用者の指に合わせたサイズ調節および脱着が容易になり、カスタネット使用時における快適性を向上させる。【選択図】図１
2010145982.tif 000002
【特許請求の範囲】
【請求項１】
カスタネットの使用時に、カスタネットを指に装着するための手段として面ファスナーを使用することを特徴とする指装着具。
【請求項２】
面ファスナーはフック状に起毛された面とループ状に密集して起毛された面の二つを合わせて一体化させた帯状のものであることを特徴とする請求項１に記載のカスタネットの指装着具。
【請求項３】
面ファスナーによる帯状体の一方の先端には固定具、他方の先端側にはストッパーが取り付けてあることを特徴とする、請求項１または請求項２に記載のカスタネットの指装着具。
【請求項４】
面ファスナーによる帯状体には、カスタネット本体に連結するためにゴム紐を通す穴があけられていることを特徴とする、請求項１から請求項３までのいずれかの項に記載のカスタネットの指装着具。
【請求項５】
請求項１から請求項４までのいずれかの項に記載のカスタネットの指装着具とカスタネット本体がゴム紐で結ばれ連結されていることを特徴とするカスタネット。
【発明の詳細な説明】
【技術分野】
【０００１】  この発明は、カスタネットを指に装着するための装着具、及びその指装着具を使用したカスタネットに関する。
【背景技術】
【０００２】  従来のカスタネットの形状は図１１に示すように、カスタネット本体を留める部分とカスタネットを指に装着する部分がゴム紐で一体化したものであった。
【発明の開示】
【発明が解決しようとする課題】
【０００３】  しかしながら、以上の技術によればカスタネット使用時、指に装着する手段としてゴム紐を使用していたため、結び目がほつれ易く、その場合に再び結び直すことが面倒であり、また使用者の指に合わせたサイズ調節および脱着が不便であった。
そこで、この発明は、従来のカスタネット使用時における煩雑さの解消、使用者の指に合わせたサイズ調節および脱着を容易にする指装着具、その指装着具を使用したカスタネットを提供することを課題とする。
【課題を解決するための手段】
【０００４】  以上の課題を解決するために、第一発明は、カスタネット使用時、指に装着するための手段として面ファスナーを用いることを特徴とするカスタネットの指装着具である。カスタネットとは木製の打楽器である。
面ファスナーとは代表的なものを挙げると、細かいカギ状になっているフック面と小さなループがびっしり並んだループ面の２枚１組で使用する、フック部がループにひっかかることによってくっつく、貼り合わせ剥がせる布のことである。それ以外にもこのフックとループの並びや形によっていろいろな面ファスナーがある。【０００５】  第二発明は、面ファスナーはフック面とループ面の二つを合わせて一体化させた帯状のものであることを特徴とするカスタネットの指装着具である。【０００６】  第三発明は、面ファスナーによる帯状体の一方の先端には固定具、他方の先端側にはストッパーが取り付けてあることを特徴とするカスタネットの指装着具である。
固定具とは面ファスナーの一方の先端に固定された図３に示すような形状のものであり、これ以外にも図５から図７に示すような様々な形が考えられる。
ストッパーとは面ファスナーの他方の先端側に取り付けられた図４に示すような形状のものであり、これ以外にも図８から図１０に示すような様々な形が考えられる。【０００７】  第四発明は、面ファスナーによる帯状体には、カスタネット本体に連結するためにゴム紐を通す穴があけられていることを特徴とする、カスタネットの指装着具である。ゴム紐とは洋裁などに使われる、紐のように糸でコーティングしてある長いゴムのことである。
ゴム紐を通す穴は図３、図４で示すように固定具が取り付けられてある側の面ファスナーに開けられてある。【０００８】  また第五発明はこれらの指装着具とカスタネット本体がゴム紐で結ばれ連結されていることを特徴とするカスタネットである。
【発明の効果】
【０００９】  第一発明によれば、ゴム紐の代わりに面ファスナーを装着手段としたのでゴム紐使用時のような指への圧迫感もなく、簡単に確実に装着できる。【００１０】  第二発明によれば、面ファスナーのフック面とループ面を合わせて一体化しているため、装着時に使用しやすい。【００１１】  第三発明によれば、固定具とストッパーの働きでカスタネットを指に装着するのが従来よりも容易になる。【００１２】  第四発明によれば、面ファスナーによる帯状体には、カスタネット本体に連結するためにゴム紐を通す穴があけられており、破損した場合の部品交換が可能になる。【００１３】  第五発明によれば、第一発明から第四発明までのいずれかの発明に記載のカスタネットの指装着具とカスタネット本体がゴム紐で結ばれ連結されていることを特徴とするカスタネットを提供することができる。
【発明を実施するための最良の形態】
【００１４】  この発明の一実施形態を、図１から図４に示す。【００１５】  カスタネットは図１から図４に示されているように、ゴム紐２を使用することで結ばれた部分である二枚の円形状の本体１と、使用時に指に装着する部分である面ファスナー部３ａ、固定具４、ストッパー５、ゴム紐２を通す穴６、穴７で構成されている。【００１６】  面ファスナー部３ａは、面ファスナー部３ｂ（フック面）と面ファスナー部３ｃ（ループ面）、を合わせて一体化させた帯状のものである（［図３］参照）。【００１７】  この一体化させた帯状の面ファスナー部３ａの一方の先端には固定具４が取り付けられてあり、他方の先端側にはストッパー５が取り付けられてある（［図４］参照）。【００１８】  ストッパー５は［図４］を参照してもわかるとおり、固定具４に通した先の面ファスナー部３ａの先端側に取り付けられている。【００１９】  面ファスナー部３ａには、ゴム紐２を通す穴６が開けられてあり、またカスタネット本体１の側面にはゴム紐２を通す穴７が同様に開けられてある（［図１］から［図４］参照）。
これらの穴にゴム紐２を通し、本体１および面ファスナー部３ａを固定させてある。【００２０】「実施形態の効果」
この実施形態によれば、面ファスナー部３ａ、固定具４、およびストッパー５の働きで、カスタネットを指に装着する時、従来のカスタネット使用時のような使用者の指に合わせたサイズ調節および脱着の煩雑さ、およびゴム紐が解けた場合に再び結び直す煩わしさが解消される。【００２１】  すなわち使用方法として図１から図４を主に参照とする。面ファスナー部３ａを固定具４に通すことにより、面ファスナー部３ａを指に装着するためのスペースができる（［図４］参照）。【００２２】  このスペースはストッパー５の働きにより、最大限のスペースがあらかじめ決められている。それに加え、ストッパー５は面ファスナー部３ａが固定具４より抜け出るのを防止する。（［図１］、［図４］参照）。このため固定具４とストッパー５は様々な組み合わせが考えられる（［図５］から［図１０］参照）。【００２３】  また、この最大限のスペース、すなわちストッパー５の取り付け位置はカスタネット使用者の考えられうる指の太さ、脱着のしやすさを考慮した上で決めるものとする（［図４］参照）。【００２４】  このスペースに指を通し、固定具４に通した先の面ファスナー部３ｂを、固定具４で折り返すようにして反対側に曲げ、使用者の指の太さに合わせて引っ張りながら面ファスナー部３ｃに押し付けることにより張り付かせ、指に装着させる。【００２５】  装着をやめるときは、面ファスナー部３ｂをはがし、面ファスナー部３ａを指に装着するために引っ張った方向と反対側に戻すことで指が通るスペースをつくり、指を抜けばよい。【００２６】  またこの実施形態によれば、面ファスナー部３ａ、固定具４、ストッパー５、ゴム紐２を通す穴６で成り立っているカスタネットの指装着具は、代替部品として交換することも可能である。ゴム紐２も同様である。【００２７】「他の実施形態」
図１、図２、図３、および図４の実施形態では、固定具４は図に示されるような形態のものであったが、他の実施形態では固定具は同様の機能を果たすものであれば材質および形態は他の物でもよい。またストッパー５に関しても同様とする（［図５］から［図１０］参照）。
【図面の簡単な説明】
【００２８】
【図１】この発明の一実施形態を示す全体の斜視図である。
【図２】この発明の一実施形態を示す全体の側面図である。
【図３】この発明の一実施形態を示す指装着具（ただし面ファスナー部３ａを固定具４に通さない状態、ストッパー５無し）の正面図である。
【図４】この発明の一実施形態を示す指装着具（ただし面ファスナー部３ａを固定具４に通した状態、ストッパー５有り）の側面図である。
【図５】固定具の他の実施例の正面図である。
【図６】固定具の他の実施例の正面図である。
【図７】固定具の他の実施例の正面図である。
【図８】ストッパーの他の実施例の正面図である。
【図９】ストッパーの他の実施例の正面図である。
【図１０】ストッパーの他の実施例の正面図である。
【図１１】従来技術を示す斜視図である。
【符号の説明】
【００２９】    １  カスタネット本体
２  ゴム紐
３ａ  面ファスナー部（３ｂ、３ｃを一体化したもの）
３ｂ  面ファスナー部（フック面）
３ｃ  面ファスナー部（ループ面）
４  固定具
５  ストッパー
６  ゴム紐２を通す穴（面ファスナー部３ａ）
７  ゴム紐２を通す穴（カスタネット本体１）
【図１】
2010145982.tif 000003
【図２】
2010145982.tif 000004
【図３】
2010145982.tif 000005
【図４】
2010145982.tif 000006
【図５】
2010145982.tif 000007
【図６】
2010145982.tif 000008
【図７】
2010145982.tif 000009
【図８】
2010145982.tif 000010
【図９】
2010145982.tif 000011
【図１０】
2010145982.tif 000012
【図１１】
2010145982.tif 000013